(57)【要約】【課題】軽量で可搬性に優れ、各種機器や物品などの対象物を容易に設置・撤去でき、前記対象物の位置調整も可能な支持構造体を提供する。【解決手段】支持具１０は、基部１４を備えた台１２，略円筒状の紙製のポール１６，機器類を設置するための取付具３０により構成されている。前記ポール１６は、外筒１６Ａから引き出した内筒１６Ｂを、ストッパ２８で固定することによって全体の長さ調節が可能となっている。前記取付具３０には、ブラケット５０，６２を介して、照明装置６０及び防犯カメラ６４が取り付けられており、これら機器類は、前記取付具３０をポール１６に沿って昇降させることで高さ調節が可能となっている。前記支持具１０は、基部１４，ポール１６，取付具３０に分解することで持ち運び，設置，撤去が容易になる。また、ポール１６が紙製のため、軽量で可搬性に優れるとともに、廃棄が容易である。【選択図】図１
2009063847.tif 000002
【特許請求の範囲】
【請求項１】
中空のポールと、
該ポールの少なくとも一方の端部に設けられており、該ポールを所定位置に固定するための基部と、
支持ないし設置の対象物を、前記ポールに対して取り付けるための取付具と、
を備えるとともに、
前記ポールが、紙によって形成されていることを特徴とする支持構造体。
【請求項２】
前記取付具が、前記ポールに対して着脱，スライド，回転の少なくともいずれかが可能であることを特徴とする請求項１記載の支持構造体。
【請求項３】
前記取付具が、前記ポールに形成された開口部に固定されることを特徴とする請求項１記載の支持構造体。
【請求項４】
前記ポールを、他のポールの所望の位置に連結するための連結具を備えたことを特徴とする請求項１〜３のいずれかに記載の支持構造体。
【請求項５】
前記対象物が、電子機器，端子，パネル体の少なくともいずれかであることを特徴とする請求項１〜４のいずれかに記載の支持構造体。
【請求項６】
支持ないし設置の対象物の表面を受ける骨組みを、複数の中空のポールを連結具によって連結して形成するとともに、
前記ポールを、紙によって形成したことを特徴とする支持構造体。
【請求項７】
前記対象物が、パネル体であることを特徴とする請求項６記載の支持構造体。
【請求項８】
前記ポールが伸縮可能であることを特徴とする請求項１〜７のいずれかに記載の支持構造体。
【請求項９】
前記ポールを、略同心状に挿嵌可能な複数のパイプによって形成するとともに、前記複数のパイプの重なり部分を固定するためのストッパを設けたことを特徴とする請求項８記載の支持構造体。
【請求項１０】
前記基部または骨組みの底面を受けるとともに、受ける高さを調整する高さ調整手段，
を設けたことを特徴とする請求項１〜９のいずれかに記載の支持構造体。
【請求項１１】
前記ポールの表面または内面の少なくともいずれかに、コーティングを施したことを特徴とする請求項１〜１０のいずれかに記載の支持構造体。
【請求項１２】
前記ポールの内側に、断熱材を設けたことを特徴とする請求項１〜１１のいずれかに記載の支持構造体。
【請求項１３】
前記ポールの表面に、スケールを設けたことを特徴とする請求項１〜１２のいずれかに記載の支持構造体。
【請求項１４】
前記ポールの断面を、多角形状としたことを特徴とする請求項１〜１３のいずれかに記載の支持構造体。
【請求項１５】
前記対象物の近傍に、該対象物を保護するための緩衝体を設けたことを特徴とする請求項１〜１４のいずれかに記載の支持構造体。
【発明の詳細な説明】
【技術分野】
【０００１】
本発明は、対象物を支持ないし設置するための支持構造体に関し、更に具体的には、対象物の仮設や増設などに適した支持構造体に関するものである。
【背景技術】
【０００２】
防犯カメラやセンサなどの防犯機器などを設置する際には、適切な位置や高さに設置することが必要であることから、設置前のデモンストレーションが重要となる。これらの機器は、金属製ポールなどに金具を利用して取り付けられるが、金属製ポールは重いため、設置場所までの持ち運びが不便である。また、デモンストレーションなどで機器類を仮設する場合には、金属製ポールほどの強度がなくても十分なことを考えると、必要以上のコストがかかるという不都合も生じる。一方、可搬型のカメラの設置台としては、以下の特許文献１に、折りたたみ式のカメラ用の撮影台が開示されている。また、下記特許文献２には、脚を布製等の空気式とし、未使用時は折りたためるようにしたファスナー付き空気式携帯用三脚がある。
【特許文献１】特開２００６−２３５４９８公報
【特許文献２】特開２００５−６２４３５公報
【発明の開示】
【発明が解決しようとする課題】
【０００３】
しかしながら、以上のような背景技術は、いずれも携帯には適した構造となっているが、カメラを設置する高さを調整することができないため、上述したような防犯機器類の設置位置を試すための用途には適していない。また、カメラの設置以外に用いることができず、用途が限られるという不都合もある。
【０００４】
本発明は、以上の点に着目したもので、その目的は、軽量で可搬性に優れ、各種機器や物品などの対象物を容易に設置・撤去でき、かつ、前記対象物の位置調整が可能な支持構造体を提供することである。
【課題を解決するための手段】
【０００５】
前記目的を達成するため、本発明の支持構造体は、中空のポールと、該ポールの少なくとも一方の端部に設けられており、該ポールを所定位置に固定するための基部と、支持ないし設置の対象物を、前記ポールに対して取り付けるための取付具と、を備えるとともに、前記ポールが、紙によって形成されていることを特徴とする。
【０００６】
主要な形態の一つは、前記取付具が、前記ポールに対して着脱，スライド，回転の少なくともいずれかが可能であること、あるいは、前記取付具が、前記ポールに形成された開口部に固定されることを特徴とする。他の形態は、前記ポールを、他のポールの所望の位置に連結するための連結具を備えたことを特徴とする。更に他の形態は、前記対象物が、電子機器，端子，パネル体の少なくともいずれかであることを特徴とする。
【０００７】
他の発明の支持構造体は、支持ないし設置の対象物の表面を受ける骨組みを、複数の中空のポールを連結具によって連結して形成するとともに、前記ポールを、紙によって形成したことを特徴とする。主要な形態の一つは、前記対象物が、パネル体であることを特徴とする。
【０００８】
他の形態は、上述したいずれかの支持構造体において、(1)前記ポールが伸縮可能であること、(2)前記ポールを、略同心状に挿嵌可能な複数のパイプによって形成するとともに、前記複数のパイプの重なり部分を固定するためのストッパを設けたこと、(3)前記基部または骨組みの底面を受けるとともに、受ける高さを調整する高さ調整手段，を設けたこと、(4)前記ポールの表面または内面の少なくともいずれかに、コーティングを施したこと、(5)前記ポールの内側に断熱材を設けたこと、(6)前記ポールの表面に、スケールを設けたこと、(7)前記ポールの断面を、多角形状としたこと、(8)前記対象物の近傍に、該対象物を保護するための緩衝体を設けたこと、を特徴とする。本発明の前記及び他の目的，特徴，利点は、以下の詳細な説明及び添付図面から明瞭になろう。
【発明の効果】
【０００９】
本発明は、支持構造体を構成する中空のポールを紙で形成するとともに、前記ポールに、対象物を支持ないし設置するための取付具を取り付ける，あるいは、紙で形成された複数の中空のポールを、連結具で連結して対象物を支持ないし設置するための骨組みを形成することとした。このため、軽量で可搬性に優れるとともに、対象物を容易に設置・撤去することができるという効果が得られる。また、前記ポールに対する取付具の取り付け位置を変更することで、対象物の支持ないし設置位置を容易に調整できるという効果がある。
【発明を実施するための最良の形態】
【００１０】
以下、本発明を実施するための最良の形態を、実施例に基づいて詳細に説明する。
【実施例１】
【００１１】
最初に、図１〜図３を参照しながら、本発明の実施例１を説明する。図１(A-1)は本実施例の外観斜視図，図１(A-2)は取付部分の斜視図，図１(B)は前記(A)を＃Ａ−＃Ａ線に沿って切断し矢印方向に見た断面図，図１(C)はポールの断面斜視図である。図２(A)は、本実施例の取付具の構造を示す斜視図，図２(B)〜(D)は他の機器の取付例を示す斜視図である。図３は、本実施例のポールの長さ調整機構を示す断面図である。本実施例は、防犯カメラや照明装置などの各種機器を、デモンストレーションのための仮設する支持具に本発明を適用したものである。本設置前に仮設して高さ，位置，向きなどを試すことにより、機器類を設置する最適な位置を事前に確認することができる。
【００１２】
図１(A-1)及び(B)に示すように、支持具１０は、略垂直方向に立設された中空のポール１６と、該ポール１６の下端側を固定するための基部１４と、該基部１４を備えた台１２と、前記ポール１６に対して着脱可能な取付具３０により構成されている。前記台１２及び基部１４は、本実施例では、例えば金属などの比較的重量がある材料により形成されている。前記台１２の底面には、複数（図示の例では４つ）のキャスタ１８が設けられており、支持具１０の移動が可能となっている。また、前記台１２の側面には、脚２２を取り付けるための取付口２０が設けられている。該取付口２０に、必要に応じて前記脚２２を取り付けることにより、支持具１０の転倒防止を図ることができる。
【００１３】
前記ポール１６は、略円筒状の外筒１６Ａと内筒１６Ｂにより構成されている。前記内筒１６Ｂは、前記外筒１６Ａの内側に収納可能となっており、前記外筒１６Ａから引き出す長さを変更することによって、ポール１６の長さ調節が可能となっている。また、前記外筒１６Ａと内筒１６Ｂの隙間には、図１(B)及び図３(A)に示すように、断面略台形の筒状のストッパ２８が挿嵌されている。該ストッパ２８は、例えば、ゴムなどによって形成されており、外筒１６Ａに対する内筒１６Ｂの位置を固定することが可能となっている。以上のような外筒１６Ａ及び内筒１６Ｂは、紙管によって形成されており、その表面及び内面には、図１(C)に示すように、コーティング２４，２６が施されている。該コーティング２４，２６は、必要に応じて設けるようにすればよい。また、コーティング２４，２６は、耐水性や耐火性などの機能や、金属的な外観，凹凸，模様を付与するために施すなど、その目的は様々である。
【００１４】
前記取付具３０は、図１(A-1)及び(B)に示すように、本実施例では、外筒１６Ａの上端側に２つ設けられており、該取付具３０によって、照明装置６０や防犯カメラ６４が、支持具１０のポール１６に取り付けられている。前記取付具３０は、図２(A)に示すように、ピン３１によって回動可能に連結した一対のアーム３２Ａ，３２Ｂからなる略環状のリング３２と、前記アーム３２Ａ，３２Ｂのそれぞれの中央部に設けられたプレート４４により構成されている。前記アーム３２Ａ，３２Ｂは、前記ピン３１と反対側の端部に、それぞれ径方向に突出した突出部３４Ａ，３４Ｂを備えており、これら突出部３４Ａ，３４Ｂの間には隙間３３が形成されている。前記突出部３４Ａ，３４Ｂに設けられた穴３６に、ボルト３８を通して、該ボルト３８の端部にナット４０を螺合することによって、前記隙間３３の空き具合を調整することができる。また、前記ボルト３８からナット４０を外せば、前記ピン３１を支点とする回動によってアーム３２Ａ，３２Ｂが開き、ポール１６への装着が可能となる。更に、前記プレート４２は、長穴状のスリット４４と、ネジ部４６を備えている。
【００１５】
本実施例では、前記取付具３０に対して、ブラケット５０を介して照明装置６０が取り付けられている。前記ブラケット５０は、アーム５１と、該アーム５１の一端に設けられたアタッチメント５２と、前記アーム５１の他端に設けられた受部５８により構成されている。前記アタッチメント５２は、図１(A-2)に示すように、前記取付具３０のネジ４６部を通すための穴５４を備えており、該穴５４に前記ネジ４６部を通してナット５６を螺合することにより、ブラケット５０を取付具に固定することができる。前記受部５８には、公知の適宜手法によって、照明装置６０の基部が回動可能に取り付けられる。また、前記取付具３０には、前記照明装置６０と反対側に、他のブラケット６２を介して防犯カメラ６４が取り付けられている。
【００１６】
更に、ポール１６の頂部には、転倒時における照明装置６０や防犯カメラ６４の破損を防止するための緩衝体９００が設けられている。転倒時にこの緩衝体９００が地面と衝突することで、照明装置６０や防犯カメラ６４が直接地面と接触するのを避けることができる。緩衝体９００は、衝突リング９０２と、これを支持する複数の腕９０４と、固定具９０６とによって、金属やプラスチックなどにより構成されている。緩衝体９００は、照明装置６０や防犯カメラ６４の下側に設けてもよいが、カメラの視野を遮る恐れがある場合には、本実施例のように上側に設けたほうがよい。
【００１７】
次に、本実施例の作用を説明する。まず、ポール１６を基部１４から取り外した状態で、台１２及びポール１６を所望の場所に運ぶ。このとき、通常は、前記ポール１６の内筒１６Ｂは、外筒１６Ａの内側に収納しておく。次に、所望の場所において、前記台１２の基部１４に、前記外筒１６Ａの下端部を固定するとともに、必要に応じて、台１２の取付口２０に脚２２を装着し、支持具１０の転倒防止を図る。そして、前記外筒１６Ａの内側から、内筒１６Ｂを所望の長さだけ引き出し、これら内筒１６Ａ及び外筒１６Ｂの隙間にストッパ２８を挿嵌し、前記外筒１６Ａに対する内筒１６Ｂの位置を固定する。次に、取付具３０のリング３２を開いて前記ポール１６の外周に取り付け、ボルト３８及びナット４０で仮止めし、該取付具３０のプレート４２に、前記ブラケット５０及び６２を取り付ける。
【００１８】
前記ブラケット５０に照明装置６０を、ブラケット６２に防犯カメラ６４を取り付けたら、前記ボルト３８及びナット４０の螺合を緩め、図１(B)に矢印Ｆ１で示す方向に取付具３０をスライドさせて、照明装置６０及び防犯カメラ６４の位置の調整を行う。照明装置６０や防犯カメラ６４の位置が決まったら、前記ボルト３８及びナット４０を締め、取付具３０の位置を固定する。なお、図示の例では、前記照明装置６０及び防犯カメラ６４を、一対の共通の取付具３０に取り付けて同時に昇降させて位置決めすることとしたが、それぞれ独立して昇降する取付具を利用して、別々に位置調整を行うようにしてもよい。また、前記取付具３０を、外筒１６Ａの上端近傍に設けることとしたが、これは一例であり、前記ポール１６の上端から下端までの任意の位置に、前記取付具３０を移動させるようにしてよい。
【００１９】
支持具１０を撤去する場合には、まず、前記取付具３０から照明装置６０及び防犯カメラ６４を取り外し、更に取付具３０をポール１６から取り外す。次に、前記ストッパ２８を上方に引き上げて、内筒１６Ｂを外筒１６Ａの内側に収納し、ポール１６を基部１４から取り外す。前記台１２に脚２２を取り付けている場合には、該脚２２を台１２から外す。そして、台１２，ポール１６，取付具３０に分解した状態で、所望の場所に運ぶ。むろん、近距離の移動の場合は、台１２に設けたキャスタ１８を利用して、支持具１０全体を移動させるようにしてよい。使用後、前記ポール１６の強度が低下したり、不要になったりした場合には廃棄するが、該ポール１６が紙で形成されているため廃棄処理が容易である。
【００２０】
このように、実施例１によれば、次のような効果がある。
(1)中空のポール１６を紙で形成するとともに、前記ポール１６に取付具３０を介して照明装置６０や防犯カメラ６４を取り付けることとしたので、軽量で可搬性に優れるとともに、前記照明装置６０や防犯カメラ６４を仮設的に設置して、最適な設置位置を事前に確認することができる。また、前記ポール１６を紙で形成することによって、使用後の廃棄処理が容易になる。
【００２１】
(2)前記ポール１６を、外筒１６Ａと、その内側に収納可能な内筒１６Ｂによって形成するとともに、前記外筒１６Ａと内筒１６Ｂの隙間に、ストッパ２８を挿嵌可能としたので、前記ポール１６の長さを調整できる。
(3)前記ポール１６に、前記照明装置６０や防犯カメラ６４を取り付けるための取付具３０を設けるとともに、該取付具３０を、前記ポール１６に対して着脱可能かつスライドとしたので、照明装置６０や防犯カメラ６４の高さを容易に調整することが可能となる。
【００２２】
(4)前記ポール１６の表面にコーティング２４，２６を設けることとしたので、耐水・耐火性能などの付与や、デザイン性の向上を図ることができる。
(5)前記台１２に、必要に応じて脚２２を取り付けることとしたので、支持具１０の転倒防止を図ることができる。
【００２３】
＜変形例＞・・・次に、本実施例の変形例を説明する。
(1)ストッパの変形例として、図３(B)〜(D)に示すものがある。例えば、図３(B)に示すストッパ１２０は、筒部１２４の上端に内側に向けて突出したフランジ部１２２を備えており、該フランジ部１２２の縁を内筒１６Ｂの表面に接触させるとともに、前記筒部１２４を隙間に挿嵌することによって、外筒１６Ａに対して内筒１６Ｂを固定している。図３(C)に示すストッパ１３０は、筒部１３４の上端に外側に向けて突出したフランジ部１３２を備えており、該フランジ部１３２を外筒１６Ａの上端に係合させるとともに、前記筒部１３４を隙間に挿嵌することによって固定を行う例である。
【００２４】
また、図３(D)に示す例では、外筒１６Ａの外周面上端側にネジ部１５０を形成し、該ネジ部１５０と螺合するネジ部１４４を内周面下端側に備えたスリーブ１４０を用いた例である。前記スリーブ１４０の内側には、前記外筒１６Ａと外筒１６Ｂの隙間に挿嵌される樹脂製のリング板１４６の上端部と係合する段差１４２が形成されており、前記スリーブ１４０を下側へ移動するように回すと、前記段差１４２によって前記リング体１４６が隙間に入り込み、外筒１６Ａに対して内筒１６Ｂを固定することができる。なお、前記リング板１４６には切れ目１４８が形成されているため、外筒１６Ａや内筒１６Ｂの径が変わっても対応が可能である。
【００２５】
(2)ポールの変形例・・・図３(E)はポール１６の変形例であって、内筒１６Ｂの内側に、更に他の内筒１６Ｃを設け、外筒１６Ａに対して内筒１６Ｂを、内筒１６Ｂに対して内筒１６Ｃを引き出し及び収納可能にした例である。これらの筒同士の固定は、上述したストッパ２８，１２０，１３０のいずれかを用いて行うようにしてもよいし、他の公知の機構を用いるようにしてもよい。
【００２６】
(3)取付機器の変形例・・・図２(B)は、ポール１６にセンサ７０を取り付けた例であって、該センサ７０は、アーム７２とアタッチメント７４を備えたブラケットによって、取付具３０に取り付けられている。前記アタッチメント７４は、取付具３０のスリット４４に挿通可能なボルト７６に、前記スリット４４の裏面側から図示しないナットを螺合することによって、取付具３０に固定されている。また、図２(B)に示す例では、ポール１６の外周面に、スケール７８が設けられている。該スケール７８は、例えば、キャスタ１８や台１２の高さも含めて、設置面からの高さを表示するようにすると、機器類の取り付け位置の目安とすることができる。
【００２７】
図２(C)には、取付機器として、赤色灯８０をポール１６の上端に取り付けた例である。前記赤色灯８０は、発光部８２，基部８４，フランジ部８６，筒部８８が軸方向に連続した構造となっており、前記フランジ部８６には、コード９２を引き出すための開口部９０が形成されている。また、前記筒部８８の内側略中央部には、外筒１６Ｂの上端に設ける取付キャップ９６の上面９６Ａに設けられたネジ穴９８と螺合するネジ部９４が設けられている。前記取付キャップ９６の筒部を、外筒１６Ｂの上端に被せ、ネジ部９４とネジ穴９８を螺合させると、赤色灯８０をポール１６に取り付けることが可能となる。
【００２８】
図２(D)には、ブラケット１００を用いてモニタ１１４を取り付けた例が示されている。前記ブラケット１００は、前記取付具３０のプレート４２に固定されるアタッチメント１０２と、アーム１０８及び１１０，関節部１０６Ａ〜１０６Ｃにより、広範囲にわたって回動ないし旋回可能な構成となっている。前記アタッチメント１０２には穴１０４が設けられており、該穴１０４と取付具３０のスリット４４を貫通するボルトに、ナット（いずれも図示せず）を螺合することにより、取付具３０に固定される。また、前記関節部１０６Ｃの上方には、モニタ１１４を取り付けるための取付口１１２が設けられている。
【実施例２】
【００２９】
次に、図４を参照しながら本発明の実施例２を説明する。なお、上述した実施例１と同一ないし対応する構成要素には同一の符号を用いることとする（以下の実施例についても同様）。本実施例は、本発明の支持構造体を、ターミナル（コンセントやスイッチなど）の増設に利用したものである。図４(A)は、本実施例の全体を示す正面図，図４(B)は、本実施例の主要部を一部分解して示す斜視図である。本実施例の支柱２００は、紙で形成された伸縮可能なポール２０６を中心に構成されており、床２２０と天井２３０の間に設置されている。前記ポール２０６の下端側は、例えば、プレート２０２Ａに設けられた金属製の基部２０４Ａの外側に嵌められており、前記プレート２０２Ａをボードアンカー２２２などによって床２２０に固定する。同様に、前記ポール２０６の上端側は、プレート２０２Ｂに設けられた基部２０４Ｂの外側に嵌められており、前記プレート２０２Ｂをボードアンカー２３２などによって天井２３０に固定する。なお、前記ポール２０６は、図示しない伸縮機構を備えているため、一度長さを短くしてから、前記基部２０４Ａ及び２０４Ｂに、嵌めるようにするとよい。
【００３０】
前記支柱２００の側面には、コンセント２１０Ａ及び２１０Ｂが設けられている。前記ポール２０６は、図４(B)に示すように、適宜位置に開口部２０８を備えており、該開口部２０８には、取付枠２１１が取り付けられる。該取付枠２１１に、ベース２１２，コンセント本体２１４，カバープレート２１６を順に取り付けると、支柱２００にコンセント２１０Ａ，２１０Ｂを設置することができる。また、前記支柱２００の内側には、前記コンセント本体２１４に接続される配線２１８Ａ〜２１８Ｃが収納されている。従って、前記配線２１８Ａ〜２１８Ｃは、外側から見ることができなくなる。
【００３１】
他の支柱２４０は、基本的には、前記支柱２００と同様の構成となっているが、ポール２０６の下端側を受ける基部２０４Ａとプレート２０２Ａの下には、前記プレート２０２Ａよりもサイズが大きい台座２４６が設けられている。この場合は、前記台座２４６に、前記プレート２０２Ａをボードアンカー２２２などによって固定しておけば、前記台座２４６と床２２０の固定を省くことができる。また、支柱２４０のポール２０６には、図４(A)に示すように、スイッチ２４２が設けられている。スイッチ２４２に接続される配線２４４は、ポール２０６の内側を通るため、外観から見ることができなくなる。
【００３２】
このように、本実施例によれば、支柱２２０及び２４０に開口部を設けて、該開口部に所望のターミナルを設置するための取付枠２１１を設けることとしたので、コンセント２１０Ａ，２１０Ｂや、スイッチ２４２などを容易に増設することが可能となる。また、前記ポール２０６の内側を、配線２１８Ａ〜２１８Ｃ，２４４の通路として利用することで、外観の印象を損なわないという効果が得られる。
【実施例３】
【００３３】
次に、図５を参照して本発明の実施例３を説明する。図５(A)は外観斜視図，図５(B)は取付部分の分解斜視図，図５(C)及び(D)は、取付部分の変形例を示す図である。図５(A)に示すように、本実施例は、本発明の支持構造体を用いて棚を形成した例である。本実施例の棚３００は、４つの支持具３１０Ａ〜３１０Ｄに取り付けた金具によって、棚板（ないしパネル）３４０を支持した構成となっている。前記支持具３１０Ａ〜３１０Ｄのポール３１４の下端側は、台３１２に固定されている。これら支持具３１０Ａ〜３１０Ｄは、同じ構造となっているため、支持具３１０Ａを例に上げて、棚板３４０の支持機構を説明する。
【００３４】
図５(B)に示すように、支持機構は、ポール３１４，木材３１６，取付金具３２０，棚受け金具３３０により構成されている。前記ポール３１４は、前記実施例と同様に紙管によって形成されており、その外周面に、断面略長方形の木材３１６が接着剤３１８などによって接着されている。前記取付金具３２０は、前記木材３１６の表面を覆う形状であって、前記木材３１６に固定するためのネジ３２２を通すための穴３２４が適宜間隔で設けられているほか、前記棚受け金具３３０のフック３３６を掛けるための略長方形の開口部３２６を多数備えている。次に、前記棚受け金具３３０は、前記棚板３４０を受ける受部３３２と、両端には脚３３４Ａ，３３４Ｂを備えている。前記脚３３４Ａ，３３４Ｂの側面には、前記取付金具３２０の開口部３２６と係合するフック３３６が上下に２つ設けられている。また、前記受部３３２には、前記棚板３４０を固定するためのネジ３４４と螺合するネジ穴３３８が、適宜位置に形成されている。
【００３５】
本実施例の棚３００を組み立てる際は、まず、ポール３１４に、接着剤３１８などによって木材３１６を接着し、前記木材３１６に、ネジ３２２を利用して取付金具３２０を固定する。そして、前記ポール３１４の下端を台３１２に固定するとともに、支持具３１０Ａ〜３１０Ｄを適宜間隔で配置して、前記棚受け金具３３０のフック３３６を、前記取付金具３２０の所望の位置の開口部３２６に掛ける。最後に、棚板３４０に設けた穴３４２にネジ３４４を通し、棚受け金具３３０のネジ穴３３８に螺合させる。このように、本実施例によれば、複数の支持具３１０Ａ〜３１０Ｄを用いることにより、棚板３４０を略水平に保持することができる。また、ポール３１４に木材３１６を介して取付金具３２０を取り付けることとしたので、大きな荷重に耐えることが可能となる。
【００３６】
なお、前記図５(A)及び(B)に示す例では、一対の支持具で一つの棚受け金具３３０の両端を支持することとしたが、図５(C)及び(D)に示すように、一つの支持具に一つの棚受け金具３５４を取り付けるようにしてもよい。この場合、図５(C)に示す例のように、ポール３１４にボードアンカー３５０をねじ込み、該ボードアンカー３５０に、棚受け金具３５４の側面３５４Ｂの穴３５８を介してネジ３５２をねじ込んで、棚受け金具３５４をポール３１４に直接取り付けるようにしてもよい。あるいは、図５(D)に示すように、ポール３１４に木材３１６を取り付けてから、該木材３１６に前記ボードアンカー３５０をねじ込んで棚受け金具３５４を固定するようにしてよい。いずれの場合も、前記棚受け金具３５４の受部３５４Ａに設けられたネジ穴３５６に、棚板３４０の穴３４２を介してネジ３４４を螺合することによって棚板３４０を固定する。このように、一つの支持具に一つの棚受け金具３５４を取り付けるようにすると、棚板３４０のサイズ変化にも容易に対応することが可能となる。
【実施例４】
【００３７】
次に、図６を参照して本発明の実施例４を説明する。上述した実施例３は、本発明の支持構造体を、パネル体を略水平状態に保持するために利用した例であるが、本実施例は、パネル体を略垂直方向に保持するようにした例である。まず、図６(A)に示す例は、本発明を仕切り３６０に適用したものであって、一対の支持具３６２Ａ及び３６２Ｂによって、ジャバラ状のパネル３７０を保持した構成となっている。前記支持具３６２Ａ，３６２Ｂのポール３６４の下端部は、図示しない基部や台に固定されている。前記ポール３６４は、紙によって形成されており、外周面には、適宜間隔で取付金具３６６が設けられている。該取付金具３６６には、溝が形成されており、該溝によって、前記パネル３７０の両端部３７０Ａ，３７０Ｂを把持している。このような仕切り３６０は、例えば、緊急にプライベート空間を確保する場合などに利用される。
【００３８】
図６(B)に示す例は、本発明をドアに適用したものであって、パネルを略垂直方向に支持するとともに、ポールに対して回転可能とした例である。本実施例のドア４００は、ポール４０２と、該ポール４０２の下端部を受ける基部４２０と、該基部４２０の高さ調節を行うための金具４２６と、前記ポール４０２に対して回転可能に取り付けられるパネル４１４により構成されている。前記ポール４０２は、軸方向に適宜間隔で径が若干小さく設定された複数の溝４０４を備えている。該溝４０４には、略リング状の取付金具４０６が回転可能となるように取り付けられている。前記取付金具４０６は、リング４０８と、該リング４０８の径を調整するためのアジャスタ４１０と、前記パネル４１４を把持するための把持部４１２を備えている。
【００３９】
また、前記ポール４０２の下端を受ける基部４２０の底面４２０Ａの略中央部には、ネジ穴４２２が設けられている。一方、床４２４の上に設置する金具４２６は、略円板状のプレートの略中央に、略垂直方向にネジ部４２８が形成された構成となっている。従って、前記基部底面４２０Ａのネジ穴４２２を、前記金具４２６のネジ部４２８と螺合させると、その回転方向に応じて基部４２０が昇降するため、ポール４０２の高さ調整を行うことができる。なお、図６(B)に示す例では、パネル４１４がポール４０２に対して回転可能となっているため、前記基部４２０を回転させてもパネル４１４が同時に回転することはないが、図６(A)に示す例のように、パネル３７０の両端部３７０Ａ，３７０Ｂを固定するような場合には、ポール４０２の高さ調節を行ってからパネル４１４を把持するようにすればよい。
【実施例５】
【００４０】
次に、図７を参照しながら本発明の実施例５を説明する。図７(A)は、本実施例の全体構成を示す斜視図，図７(B)は高さ調節部を示す正面図である。本実施例は、本発明の支持構造体を、天井や床などのパネル体を受ける骨組みとして適用した例である。まず、床側について説明する。床５００は、略円筒状の紙製のポール５０４を、連結金具５０６及び５０８によって連結して形成した骨組み５０２を、基礎５１０の上に設けた多数の床束５２０によって支えるとともに、前記骨組み５０２によって、床板となるパネル５１２を支え、ネジ５１４で固定した構成となっている。前記連結金具５０６は、４本のポール５０４を略十字状に連結することができ、他の連結金具５０８は、３本（または２本）のポール５０４を、略Ｔ字状に連結するものである。前記床束５２０は、図７(B)に示すように、設置プレート５２２，受けプレート５２４，下部パイプ部材５２６，上部パイプ部材５２８，操作ナット５３０により構成された公知の構造である。本実施例では、前記床束５２０は、前記骨組み５０２を形成するポール５０４の交点の下を受けており、前記操作ナット５３０の回転により、骨組み５０２の高さを部分的に微調整可能となっている。
【００４１】
天井５４０は、前記床５００を構成するポール５０４よりも径が小さい（細い）多数のポール５４４を、略十字状の連結金具５４６および略Ｔ字状の連結金具５４８によって連結して骨組み５４２を形成し、該骨組み５４２に天井板となるパネル５５０をネジ５５２などで固定した構造となっている。前記ポール５４４の内側には、必要に応じて断熱材５５４が設けられる。このように、紙製のポールを利用して骨組みを組んで床５００や天井５４０を形成することにより、緊急時に使用する仮設住宅などを容易に設置することができる。むろん、床５２０や天井５４０のみでなく、ポールを利用して壁，柱、ドアなどを形成するようにしてもよい。
【実施例６】
【００４２】
次に、図９を参照しながら実施例６について説明する。本実施例は、伸縮棒９５０の先端にビデオカメラ９６０を取り付けた例である。伸縮棒９５０は、ポール９５２に締付具９５４を介してポール９５６が伸縮可能に挿入されており、締付具９５４を回すことで、ポール９５６をポール９５２に対して伸縮・固定できる構成となっている。伸縮棒９５０の先端とビデオカメラ９６０との間にはアダプタないし雲台９６２が設けられており、このアダプタ９６２によってビデオカメラ９６０の向きを所望の方向に設定できるようになっている。本例においても、ボール９５２，９５６は、紙を利用してよいが、プラスチックを利用してもよい。締付具９５４としては、例えば上述した実施例の取付具３０を利用することができる。
【００４３】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、ポールの断面形状を略円形としたが、図８(C-1)に示すポール７４０のように、断面略四角形状としてもよいし、図８(C-2)に示すポール７４２のように、断面三角形状としてもよい。このような直角部分を備えた多角形状とすることにより、設置場所のコーナー７５０に隙間なく収めることができ、設置スペースの無駄を省くことができる。色彩や模様についても同様であり、必要に応じて適宜変更してよい。
【００４４】
(2)前記実施例１で示したポール１６の伸縮機構も一例であり、同様の効果を奏するように適宜設計変更してよい。また、ポール１６を構成する筒体の数も一例であり、必要に応じて適宜増減してよい。
【００４５】
(3)前記実施例で示した取付具３０，取付キャップ９６，取付枠２１１，取付金具３２０，３６６，４０６，棚受け金具３３０，３５４も一例であり、同様の効果を奏するものであれば、必要に応じて他の取付手段を利用してよい。
【００４６】
(4)前記実施例５では、４方向に分岐した略十字状の連結金具５０６，５４６と、３方向に分岐した略Ｔ字状の連結金具５０８，５４８を用いたが、これも一例であり、２方向に分岐する連結具を用いてもよいし、５方向以上に分岐する連結金具を用いるようにするなど、一つの金具の分岐数は必要に応じて適宜増減してよい。また、このような分岐型の連結金具を、実施例１〜４のポールに装着し、更に他のポールと連結することで、用途の拡大を図るようにしてもよい。
【００４７】
(5)前記実施例で示した支持ないし設置対象も一例であり、他の公知の各種の機器，物品，構造体などの設置ないし支持に本発明は適用可能である。例えば、図８(A)に示す支持具６００は、床６０４Ａから天井６０４Ｂの間に設けられたドア６０２の手前に、下がり壁６０６を設けるために利用する例である。前記支持具６００は、紙製のポール６０８の下端側が基部６１０Ａ及びプレート６１２Ａによって床６０４Ａに固定され、上端側が基部６１０Ｂ及びプレート６１２Ｂによって天井６０４Ｂに固定されている。前記ポール６０８の上端側には、前記下がり壁６０６の両端部を把持するための取付金具６１４が設けられており、一対の支持具６００の各取付金具６１４によって前記下がり壁６０６を支持している。この例によれば、簡単な構成で下がり壁６０６を容易に後付けすることができ、不要な場合の撤去も容易となる。
【００４８】
(6)一つのポールで支持する対象物の数も一例であり、図８(B-1)に示す支持具７００のように、基部７１４及び台７１６に立設固定されたポール７１２に、取付金具７２０を用いて、モニタ７２２を軸方向に複数並べて保持するようにしてもよい。あるいは、図８(B-2)に示す支持具７３０のように、ポール７３２に設けた溝７３４に、前記図６(B)で示した取付金具４０６を取り付け、該取付金具４０６によって、複数のモニタ７２２や他の物品ないし機器類を支持するようにしてもよい。
【００４９】
(7)本発明の支持構造体は、デモンストレーション用やプレゼンテーション用などとして、対象物を比較的短期間、支持ないし設置する場合に利用するのが好適な利用例である。このほか、災害などの緊急時にプライバシー確保のために設置する仮設住宅や仮設トイレなどの天井，床，壁，柱，ゲート，仕切り，ドア，ドア枠，窓枠，換気扇枠，棚板のほか、モニターラックとしての利用や、ターミナル類の増設への利用や、テレビ，電話，ネットワークなどのケーブル類のルート確保への利用など、本発明は、公知の各種の対象物の一時的な支持ないし設置に適用可能である。
【００５０】
(8)本発明が適用される支持ないし設置の対象物としては、どのようなものでもよいが、例えば、各種カメラ，照明器具，回転灯，スピーカ，アンテナ，非常用放送設備機器，各種センサ，ソーラーパネル，風力用機器，オブジェ，イルミネーション，緊急用押ボタンモニタ，コンセント，中継用の仮設電気配線，各種プレゼンテーションないしデモンストレーション品，災害時の仮設間仕切り柱などが好適な例である。
【産業上の利用可能性】
【００５１】
本発明によれば、支持構造体を構成する中空のポールを紙で形成するとともに、前記ポールに、対象物を支持ないし設置するための取付具を取り付ける，あるいは、紙で形成された複数の中空のポールを、連結具で連結して対象物を支持ないし設置するための骨組みを形成することとした。このため、対象物を設置ないし支持するための支持構造体の用途に適用できる。特に、軽量で可搬性に優れるとともに、前記ポールに対する取り付け位置を変更することで対象物の位置調整が容易にできることから、前記対象物を仮設するための支持構造体の用途に好適である。
【図面の簡単な説明】
【００５２】
【図１】本発明の実施例１を示す図であり、(A-1)は外観斜視図，(A-2)は取付部分の斜視図，(B)は前記(A)を＃Ａ−＃Ａ線に沿って切断し矢印方向に見た断面図，(C)はポールの断面斜視図である。
【図２】前記実施例１を示す図であり、(A)は取付具の構造を示す図，(B)〜(D)は他の機器の取付例を示す斜視図である。
【図３】前記実施例１のポールの長さ調節機構を示す断面図である。
【図４】本発明の実施例２を示す図であり、(A)は全体を示す正面図，(B)は主要部を一部分解して示す斜視図である。
【図５】本発明の実施例３を示す図であり、(A)は外観斜視図，(B)は金具取付構造の一例を示す図，(C)及び(D)は金具取付構造の他の例を示す図である。
【図６】本発明の実施例４を示す図であり、(A)は外観斜視図，(B)は変形例の主要部を示す斜視図である。
【図７】本発明の実施例５を示す図であり、(A)は全体を示す斜視図，(B)は高さ調節部を示す正面図である。
【図８】本発明の他の実施例を示す図である。
【図９】本発明の実施例６を示す図である。
【符号の説明】
【００５３】
１０：支持具
１２：台
１４：基部
１６：ポール
１６Ａ：外筒
１６Ｂ，１６Ｃ：内筒
１８：キャスタ
２０：取付口
２２：脚
２４，２６：コーティング
２８：ストッパ
３０：取付具
３１：ピン
３２：リング
３２Ａ，３２Ｂ：アーム
３３：隙間
３４Ａ，３４Ｂ：突出部
３６：穴
３８：ボルト
４０：ナット
４２：プレート
４４：スリット
４６：ネジ部
５０：ブラケット
５１：本体
５２：アタッチメント
５４：穴
５６：ナット
５８：受部
６０：照明装置
６２：ブラケット
６４：防犯カメラ
７０：センサ
７２：アーム
７４：アタッチメント
７６：ボルト
７８：スケール
８０：赤色灯
８２：発光部
８４：基部
８６：フランジ部
８８：筒部
９０：開口部
９２：コード
９４：ネジ部
９６：取付キャップ
９６Ａ：上面
９８：ネジ穴
１００：ブラケット
１０２：アタッチメント
１０４：穴
１０６Ａ，１０６Ｂ，１０６Ｃ：関節部
１０８，１１０：アーム
１１２：取付口
１１４：モニタ
１２０，１３０：ストッパ
１２２，１３２：フランジ部
１２４，１３４：筒部
１４０：スリーブ
１４２：段差
１４４：ネジ部
１４６：ストッパ
１４８：切れ目
１５０：ネジ部
２００，２４０：支柱
２０２Ａ，２０２Ｂ：プレート
２０４Ａ，２０４Ｂ：基部
２０６：ポール
２０８：開口部
２１０Ａ，２１０Ｂ：コンセント
２１１：取付枠
２１２：ベース
２１４：コンセント本体
２１６：カバープレート
２１８Ａ〜２１８Ｃ，２４４：配線
２２０：床
２２２，２３２：ボードアンカー
２３０：天井
２４２：スイッチ
２４６：台座
３００：棚
３１０Ａ〜３１０Ｄ：支持具
３１２：台
３１４：ポール
３１６：木材
３１８：接着剤
３２０：取付金具
３２２：ネジ
３２４：ネジ穴
３２６：開口部
３３０：棚受け金具
３３２：受部
３３４Ａ，３３４Ｂ：脚
３３６：フック
３３８：ネジ穴
３４０：棚板（パネル）
３４２：穴
３４４：ネジ
３５０：ボードアンカー
３５２：ネジ
３５４：棚受け金具
３５４Ａ：受部
３５４Ｂ：側面
３５６：ネジ穴
３５８：穴
３６０：仕切り
３６２Ａ，３６２Ｂ：支持具
３６４：ポール
３６６：取付金具
３７０：パネル
３７０Ａ，３７０Ｂ：縁部
４００：支柱
４０２：ポール
４０４：溝
４０６：取付金具
４０８：リング
４１０：アジャスタ
４１２：把持部
４１４：パネル
４２０：基部
４２０Ａ：底面
４２２：ネジ穴
４２４：床
４２６：金具
４２８：ネジ部
５００：床
５０２：骨組み
５０４：ポール
５０６，５０８：連結金具
５１０：基礎
５１２，６２６：パネル
５１４：ネジ
５２０：床束
５２２：設置プレート
５２４：受けプレート
５２６：下部パイプ部材
５２８：上部パイプ部材
５３０：操作ナット
５４０：天井
５４２：骨組み
５４４：ポール
５４６，５４８：連結金具
５５０：パネル
５５２：ネジ
５５４：断熱材
６００：支持具
６０２：ドア
６０４Ａ：床
６０４Ｂ：天井
６０６：下がり壁
６０８：ポール
６１０Ａ：基部
６１２Ａ，６１２Ｂ：プレート
６１４：取付金具
７００，７３０：支持具
７１２：ポール
７１４：基部
７１６：台
７２０：取付金具
７３２：ポール
７３４：溝
７４０，７４２：ポール
７５０：コーナー
９００：緩衝体
９０２：衝突リング
９０４：腕
９０６：固定具
９５０：伸縮棒
９５２，９５６：ポール
９５４：締付具
９６０：ビデオカメラ
９６２：アダプタ
【図１】
2009063847.tif 000003
【図２】
2009063847.tif 000004
【図３】
2009063847.tif 000005
【図４】
2009063847.tif 000006
【図５】
2009063847.tif 000007
【図６】
2009063847.tif 000008
【図７】
2009063847.tif 000009
【図８】
2009063847.tif 000010
【図９】
2009063847.tif 000011